(57)【特許請求の範囲】
【請求項１】
両端にそれぞれ第一開口と第二開口とを有する円筒形状のリング本体を有し、前記第一開口に傘を石突側から挿入させ前記傘の柄の方向に前記リング本体を前記傘に対し相対的に移動させることによって前記傘の傘布を束ねることが可能な傘束ね具であって、
前記リング本体の内周面に、前記第一開口と前記第二開口との間の少なくとも一部を延在する突条部または溝条部が設けられており、
前記第二開口側の端部領域に、前記リング本体の軸心側に突出するとともに周方向に亘る縁部を有し、
前記縁部の内径が、前記第一開口の開口径よりも小さいことを特徴とする傘束ね具。
【請求項２】
前記突条部または前記溝条部は、前記第一開口の上面視上、右回転方向に対向する対向面と、前記右回転方向に指向する非対向面と、を有し、
前記内周面に対する前記対向面の角度が、前記内周面に対する前記非対向面の角度よりも小さい請求項１に記載の傘束ね具。
【請求項３】
前記内周面に対する前記対向面の角度が９０度以下である請求項２に記載の傘束ね具。
【請求項４】
前記突条部または前記溝条部は、前記第一開口の上面視上、右回転方向に対向する対向面を有し、
前記リング本体の横断面にて観察される前記対向面は、前記リング本体の径方向の外向きの方向成分を有する法線を含む請求項１から３のいずれか一項に記載の傘束ね具。
【請求項５】
前記第一開口側の開口端部の内径が、開口方向の外側に向けて拡径している請求項１から４のいずれか一項に記載の傘束ね具。
【請求項６】
前記リング本体の前記内周面は、前記突条部または前記溝条部が設けられることによって凹凸形状をなしており、
前記凹凸形状の凹部の頂点を含む仮想円の直径が、前記縁部の内径よりも大きい請求項１から５のいずれか一項に記載の傘束ね具。
【請求項７】
前記突条部または前記溝条部は、前記第一開口から前記第二開口に向かって、前記第一開口の上面視上、右回転方向に前進する方向に傾斜している請求項１から６のいずれか一項に記載の傘束ね具。
【請求項８】
前記突条部または前記溝条部は、前記リング本体の軸心方向を基準として、前記第一開口側の端部と、前記第二開口側の端部と、の位置のずれが、前記突条部または前記溝条部の幅寸法未満の範囲で傾斜している請求項７に記載の傘束ね具。
【請求項９】
請求項１から８のいずれか一項に記載の傘束ね具と、
前記傘束ね具により束ねられる傘と、を備えることを特徴とする傘ユニット。
【請求項１０】
前記傘束ね具の前記リング本体に設けられる前記突条部または前記溝条部の数は、前記傘の傘骨の本数を超えて前記傘骨の本数の２倍未満である請求項９に記載の傘ユニット。
【発明の詳細な説明】
【技術分野】
【０００１】
本発明は、傘布を中棒の周囲に巻き付けて束ねた状態を維持することが可能な傘束ね具および傘ユニットに関する。
【背景技術】
【０００２】
濡れた傘は、下ろくろを上はじきから離脱させて下はじきに嵌合させた状態（以下、閉じた状態ともいう）では、傘布の表面が露出しているため、当該傘布の表面に付着した水滴が周囲の人や物に接触し、これらを濡らす虞がある。そこで傘を閉じた状態とした後に、傘布を折り畳んでコンパクトにしておく必要がある。
【０００３】
濡れた傘を畳む場合、一般的には、傘布の表面に設けられた止帯を操作し、傘布を中棒の周囲に折畳むように巻き付けて、束ねた状態にすることが一般的である。しかし止帯を操作する場合には、濡れた布地に手が触れてしまい不快であるという問題がある。
【０００４】
これに対し、傘とは別体に構成されるリング状の傘束ね具の発明が提案されている。
たとえば特許文献１には、傘を畳んだ際の当該傘の外周径より若干大きくなる径の内周円と外周円とを有する環状体である傘束ねリング（以下、従来技術１ともいう）が開示されている。特許文献１には、従来技術１として、内径寸法よりもリングの軸芯方向の寸法が小さい環状体が具体的に開示されている（特許文献１図３または図７参照）。
【０００５】
従来技術１は、傘に対し、傘の石突側より嵌め込まれ傘の手元側に移動され傘布の適宜な位置で止められることが特許文献１に説明されている。傘布の適宜な位置で止められた従来技術１の内周面には開こうとする傘の力がかかるため、その摩擦力で、従来技術１は、適宜な位置で止まった状態が維持される。即ち、従来技術１を傘に対し嵌め込むことで、傘の使用者は、傘布を直接に手で触ることなく束ねることが可能である。従来技術１によって束ねられた傘布は、単に閉じた状態であるときよりも、露出する表面積が減少する。
【先行技術文献】
【特許文献】
【０００６】
【特許文献１】特開平９−３７８２６号公報
【発明の概要】
【発明が解決しようとする課題】
【０００７】
しかしながら、止帯の操作または傘束ねリングの嵌め込みによって折り畳まれた傘布には、未だ表面に多くの水が付着しており、折り畳まれた傘が人や物に接触することによって当該人や当該物を濡らしてしまうという問題があった。
【０００８】
本発明は、上記課題に鑑みなされたものである。即ち、本発明は、傘布の表面に付着した水を掻き取ることが可能であり、折り畳まれた状態の傘の表面における水分量を従来よりも減少せしめることを可能とする傘束ね具、および当該傘束ね具と傘をと備える傘ユニットを提供する。
【課題を解決するための手段】
【０００９】
本発明の傘束ね具は、両端にそれぞれ第一開口と第二開口とを有する円筒形状のリング本体を有し、上記第一開口に傘を石突側から挿入させ上記傘の柄の方向に上記リング本体を上記傘に対し相対的に移動させることによって上記傘の傘布を束ねることが可能な傘束ね具であって、上記リング本体の内周面に、上記第一開口と上記第二開口との間の少なくとも一部を延在する突条部または溝条部が設けられており、上記第二開口側の端部領域に、上記リング本体の軸心側に突出するとともに周方向に亘る縁部を有し、上記縁部の内径が、上記第一開口の開口径よりも小さいことを特徴とする。
【００１０】
本発明の傘ユニットは、本発明の傘束ね具と、当該傘束ね具により束ねられる傘と、を備えることを特徴とする。
【発明の効果】
【００１１】
上記構成を備える本発明の傘束ね具は、傘布の表面に付着した水滴を掻き取るとともに、傘布を中棒の周囲に巻き付けて束ねることができる。そのため、本発明の傘束ね具により束ねられた傘は、傘布表面に付着した水滴で周囲の人や物を濡らすという従来の課題が顕著に改善される。
【００１２】
また本発明の傘ユニットは、上述する本発明の傘束ね具と傘を備え、当該傘により適した傘束ね具をセットにすることが可能であり、傘を使用する使用者に対し良好な使用感を与えることができる。
【図面の簡単な説明】
【００１３】
【図１】（ａ）は、第一実施形態にかかる傘束ね具の側面図であり、（ｂ）は、（ａ）に示す傘束ね具の縦断面図であり、（ｃ）は、第一実施形態にかかる傘束ね具の変形例の縦断面図である。
【図２】（ａ）は、図１（ａ）のII-II横断面図であり、（ｂ）は、丸く囲んだ（ａ）の一部を示す部分拡大図である。
【図３】（ａ）から（ｃ）は、第一実施形態の傘束ね具の変形例における突条部を拡大して示す部分拡大図である。
【図４】（ａ）は、第二実施形態にかかる傘束ね具の縦断面図であり、（ｂ）は、（ａ）のIV-IV断面図であり、（ｃ）は、丸く囲んだ（ｂ）の一部を示す部分拡大図である。
【図５】（ａ）および（ｂ）は、第一実施形態の傘束ね具の使用例を説明する説明図であり、（ｃ）は、傘を変更した第一実施形態の傘束ね具の使用例を説明する説明図である。
【図６】（ａ）は、第四実施形態にかかる傘束ね具の縦断面図であり、（ｂ）は、（ａ）のVI-VI横断面図である。
【発明を実施するための形態】
【００１４】
以下、本発明の実施形態について、図面を用いて説明する。すべての図面において、同様の構成要素には同一の符号を付し、重複する説明は適宜に省略する。
本発明において、横断面とは、リング本体の軸心の延在方向に対し垂直に切断した断面をいい、縦断面とは、リング本体の軸心を通って長手方向に平行に切断した断面をいう。
また本発明において開口端部とは、開口端を含む軸心方向の所定の長さ領域を意味する。
本発明の説明において、傘または傘束ね具の回転方向に関し左回転方向または右回転方向という場合には、特段の断りがない場合には、第一開口を上面視したときの右回りの方向を右回転方向といい、左回りの方向を左回転方向という。
本発明の傘束ね具の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１５】
＜第一実施形態＞
以下に、本発明の傘束ね具に関し、本発明の第一実施形態である傘束ね具１００の構成について図１から図３、および図５を用いて説明する。
図１（ａ）は、第一実施形態にかかる傘束ね具１００の側面図であり、図１（ｂ）は、図１（ａ）に示す傘束ね具１００の縦断面図であり、図１（ｃ）は、傘束ね具１００の変形例の縦断面図である。
図２（ａ）は、図１（ａ）のII-II横断面図であり、図２（ｂ）は、丸く囲んだ図２（ａ）の一部を示す部分拡大図である。
図３（ａ）から図３（ｃ）は、傘束ね具１００の変形例における突条部５０を拡大して示す部分拡大図である。
図５（ａ）および図５（ｂ）は、傘束ね具１００の使用例を説明する説明図であり、図５（ｃ）は、傘１１０を変更した傘束ね具１００の使用例を説明する説明図である。
尚、以下の説明において、傘１１０の構成に関しては適宜、図５（ａ）から図５（ｃ）が参照される。
【００１６】
図１（ａ）、図１（ｂ）または図５に示すとおり、本実施形態にかかる傘束ね具１００は、両端にそれぞれ第一開口１０と第二開口２０とを有する円筒形状のリング本体３０を有している。傘束ね具１００は、第一開口１０に傘１１０を石突１１６側から挿入させ傘１１０の柄１２０の方向にリング本体３０を傘１１０に対し相対的に移動させることによって傘布１１８を束ねることが可能である。リング本体３０の内周面４０に、第一開口１０と第二開口２０との間の少なくとも一部を延在する突条部５０が設けられている。
尚、本発明の傘束ね具は、突条部の代替として溝状部を有する態様、および突条部と溝条部とを共に有する態様を包含する。第一実施形態では、突条部５０を有する態様について傘束ね具１００を例に説明し、溝条部６０を有する態様については第二実施形態かかる傘束ね具２００を例に後述する。
【００１７】
傘束ね具１００の使用態様の例は、図５（ａ）および図５（ｂ）に示すとおりである。即ち、図５（ａ）に示すとおり、第一開口１０（図１（ａ）、（ｂ）参照）に傘１１０の石突１１６側を挿入し、傘１１０を傘束ね具１００に対し相対的に周方向に回転させながら、リング本体３０（図１（ａ）、（ｂ）参照）を柄１２０に近づけるよう傘１１０と傘束ね具１００を相対的に移動させる。このときの回転方向は、対応する傘の構成によるため、特に限定されないが、一般的な傘の態様を鑑みれば、上面視する第一開口１０に対し、相対的に、傘束ね具１００を左方向に回転させ、傘１１０を右方向に回転させるとよい。
【００１８】
このように傘束ね具１００を傘１１０に対し相対的に回転させるとともに移動させることによって、傘布１１８が周方向に連続する複数の突条部５０の対向面５２（図２（ａ）、（ｂ）参照）に連続的に当接し以下の効果が発生する。即ち、傘束ね具１００の第一の効果は、傘布１１８が中棒１２２に巻かれるように綺麗に折り畳まれる「傘束ね効果」である。第二の効果は、突条部５０に直接に当接する傘布１１８の表面に付着した水滴が突条部５０によって掻き取られる「水滴掻き取り効果」である。
【００１９】
傘束ね具１００は、傘１１０の柄１２０寄りの適宜の位置（たとえば、止帯１１４の手前付近）で止められる。これによって、図５（ｂ）に示すとおり、束ねられた傘布１１８表面における水滴がないか、または少なく、かつ綺麗に束ねられた傘１１０が提供される。
【００２０】
傘１１０に装着された傘束ね具１００の停止位置は、傘１１０の柄１２０寄りの適宜の位置であれば特に限定されない。
たとえば、止帯１１４を備える傘１１０に傘束ね具１００を装着する場合、傘束ね具１００の使用者は、傘束ね具１００を傘１１０の柄１２０の方向に相対的に移動させ、止帯１１４が設けられた位置よりも石突１１６側で止めることができる。あるいは、使用者は、傘束ね具１００を、径方向において止帯１１４と重なる位置で止めてもよいし、止帯１１４よりも柄１２０側で止めてもよい。
より具体的な例でいえば、傘布１１８に対する止帯１１４の取付端（図示省略）が傘布１１８のエッジ１１８ａよりも根元１１８ｂ側に位置している態様の傘１１０では、傘布１１８を中棒１２２に巻きつける際、止帯１１４を隣り合う傘布１１８間に収容可能である。上述のとおり収容された止帯１１４は、傘１１０に対し装着される傘束ね具１００と直接の接触を避けることができ、傘１１０に対する傘束ね具１００の移動を邪魔しない。そのため使用者は、径方向において止帯１１４と重なる位置、または止帯１１４よりも柄１２０側に寄った位置まで、傘束ね具１００を、容易に移動させて止めることができる。所謂ビニール傘は、一般的に、上述する取付端を備える態様のものが多い。使用者は、傘束ね具１００を上述する取付端を備える傘１１０に用いる場合、傘束ね具１００を止帯１１４よりも柄１２０側まで移動させ傘布１１８の略全体をしっかりと巻き重ねることができる。
【００２１】
尚、図５（ａ）から（ｃ）では、石突１１６を下側にし、柄１２０を上側にして傘１１０の対し傘束ね具１００を装着する態様を示すが、これは傘束ね具１００の使用態様を限定するものではない。たとえば、傘１１０を略水平にした状態、または、石突１１６を上側にするとともに柄１２０を下側にした状態（即ち、図５（ａ）から（ｃ）とは逆に傘１１０を傾斜させた状態）で傘束ね具１００を装着してもよい。突条部５０によって掻き取られた水滴を自重によって落下させ易くするためには、たとえば、石突１１６を上側にするとともに柄１２０を下側にした状態で傘束ね具１００を装着するとよい。
【００２２】
以下に傘束ね具１００の詳細な構成について説明する。
リング本体３０は、適度な厚みを有する円筒体であって、両端に第一開口１０と第二開口２０とを有する。外周面４２と内周面４０との厚みは、特に限定されず、リング本体３０を構成する材料の硬度などにより適宜調整してよい。たとえば、射出成形により適当な樹脂材料でリング本体３０を成形する場合には、上記厚みは、１ｍｍ以上５ｍｍ以下の範囲で設計することができるが、これに限定されない。
【００２３】
リング本体３０を構成する材料は特に限定されず、たとえば、樹脂材料または金属材料など所望の形状に成形容易な材料を適宜選択して使用することができる。樹脂材料としては、たとえば塩化ビニル樹脂、ポリプロピレン系樹脂、ポリエチレンテレフタレート樹脂等の合成樹脂を上記材料として用いることができる。また、金属材料としては、防錆加工の施された適宜の金属材料、または軽量でかつ耐錆性のあるステンレスなどを選択することができるが、これに限定されない。
【００２４】
本実施形態におけるリング本体３０は、図１（ｂ）に示すとおり、第一開口１０側の開口端部１２の内径が、開口方向の外側に向けて拡径している。
かかる構成により、第一開口１０の開口端部内の空間体積を増大させることができる。これにより、傘１１０に対し、傘束ね具１００を装着する際に傘布１１８の表面から除去される水滴が、第一開口１０から外周面４２側にあふれることを防止し、傘束ね具１００を把持する手を濡らすことを回避することができる。またかかる構成により、傘束ね具１００の際に、傘布１１８の表面に水滴の一部が撥ねて傘束ね具１００を把持する手に付着することを防止することもできる。したがって、濡れた傘１１０を傘束ね具１００により束ねる際に、使用者に手の濡れによる不快感を与えることがない。また傘束ね具１００の使用者は、手袋を着用したままでも、当該手袋を濡らさずに傘１１０を折り畳めることができる。
尚、傘束ね具１００の使用により傘布１１８の表面から除去された水滴は、一時的にリング本体３０の内部に貯留される場合もあるが、自然に、あるいは傘１１０に軽い振動を与えることで、下方に落下させることができる。
【００２５】
傘１１０を折り畳む手（または手袋）を濡らすことを防止するという観点からは、図１（ｂ）に示すとおり、第二開口２０側の開口端部１４の内径を、開口方向の外側に向けて拡径させることも好ましい。
【００２６】
図１（ａ）および図１（ｂ）に示すとおり、リング本体３０は、第一開口１０側の開口端部１２および第二開口２０側の開口端部１４の外径が、開口方向の外側に向けて拡径している。これによって、傘１１０に対し傘束ね具１００を装着させる際の把持性および脱着の操作性が向上する。
【００２７】
ただし本実施形態の変形例は、上述する開口端部１２および／または開口端部１４が拡径していない形状であってもよい。たとえば、開口端部１２および開口端部１４がいずれも拡径せず、外径が第一開口１０から第二開口２０まで実質的に均一であってもよい。
【００２８】
図１（ｂ）に示すリング本体３０の軸心方向の寸法Ａと、第一開口１０の開口径１１の長さ比は特に限定されないが、寸法Ａが開口径１１以上であることが好ましい。これによりリング本体３０の軸心方向の長さが充分に確保され、リング本体３０の内部において、傘布１１８の表面から除去された微小な径の水滴を、相対的に第一開口１０から第二開口２０の方向に寄せ集め互いに融合させて大きな径の水滴を形成可能である。降雨時に傘布１１８の表面に自然に付着した微小な径の水滴は、傘１１０に軽い振動を与えただけでは除去され難い。しかし、上述のとおり水滴の径を大きくすることによって、自重で、または軽い振動を与えられることにより、当該水滴が傘布１１８の表面を伝って効率よく落下し得る。
【００２９】
次に突条部５０について説明する。
図１（ｂ）、図２（ａ）、および図２（ｂ）に示すとおり、本実施形態にかかる傘束ね具１００は、突条部５０を有している。本実施形態における突条部５０は、内周面４０に対して軸心９１０側に突出するとともに第一開口１０と第二開口２０との間の少なくとも一部に延在する筋状部である。
本実施形態における突条部５０は、第一開口１０の近傍から第二開口２０の近傍まで連続して設けられている。突条部５０の設けられた内周面４０は、第一開口１０側から第二開口２０側まで内径が略均一である。
【００３０】
図２（ａ）および図２（ｂ）に示すとおり、本実施形態における突条部５０は、第一開口１０（図１（ａ）、（ｂ）参照）の上面視上、右回転方向（図２（ａ）（ｂ）に示す矢印方向）に対向する対向面５２と、右回転方向に指向する非対向面５４と、を有する。内周面４０に対する対向面５２の角度５６は、内周面４０に対する非対向面５４の角度５８よりも小さい（図２（ｂ）参照）。
換言すると、内周面４０に対する対向面５２の角度５６は、内周面４０に対する非対向面５４の角度５８よりも急峻である。本実施形態における突条部５０の横断面において、突条部５０の頂点から内周面４０に対して引いた垂線を介して左右非対称である。
尚、ここでいう角度５６は、内周面４０と対向面５２とがなす角度であって、リング本体３０の外部側の角度を意味し、角度５８は、内周面４０と非対向面５４とがなす角度であって、リング本体３０の外部側の角度を意味する。
【００３１】
このように角度５６を角度５８よりも急峻とすることで、傘束ね具１００は、上述する「傘束ね効果」および「水滴掻き取り効果」をより良好に発揮するとともに第三の効果である「水滴しごき効果」を顕著に発揮する。
即ち、内周面４０に対する角度５６を相対的に急峻にすることにより、対向面５２と、傘布１１８および傘骨１２４と、の当接圧力が増大する。そのため、傘布１１８および傘骨１２４が突条部５０の頂点を乗り越えて非対向面５４側に移動するとき、隣り合う傘布１１８間に挟まれる水滴が、傘布の根元１１８ｂからエッジ１１８ａに向けてしごきだされる「水滴しごき効果」が生ずる。
【００３２】
隣り合う傘布１１８間からしごき出された水滴は、しごき出される過程で、またはしごき出された後、他の水滴と融合し径の大きな水滴となる。また、上述する水滴掻き取り効果の発生により、傘布１１８の表面から突条部５０によって直接に掻き取られた水滴と、上述するしごき出された水滴とが融合する場合もある。このようにして形成された大きな径の水滴は、自重で、または軽い振動を与えられることにより、傘布１１８の表面を伝って効率よく落下し得る。したがって、傘束ね具１００に束ねられた傘１１０に保持される水分量を低減させることができる。そのため、束ねられた傘１１０から時間の経過とともに徐々に水が染み出て、あるいはしたたり、周囲の人や物を濡らすという問題が顕著に改善される。
【００３３】
図２（ｂ）では、角度５６が鈍角であって、かつ、角度５８よりも急峻な例を示したが、角度５６はこれに限定されない。
たとえば図３（ａ）または図３（ｂ）に示すように、内周面４０に対する対向面５２の角度５６を９０度以下としてもよい。
図３（ａ）は、角度５６が略９０度である例を示しており、図３（ｂ）は、角度５６が略９０度未満である例を示している。
角度５６を９０度以下とすることは、上述する「水滴しごき効果」の顕著な発生の誘因となる。
【００３４】
また突条部５０の変形例として図３（ｃ）に示すように、対向面５２を凹状に湾曲させてもよい。
即ち、上述のとおり、傘束ね具１００は、第一開口１０の上面視上、突条部５０が右回転方向に対向する対向面５２を有している。
リング本体３０の横断面にて観察される対向面５２は、リング本体３０の径方向の外向きの方向成分を有する法線９２０を含む。
換言すると、対向面５２の法線９２０の基端Ｂとリング本体３０の軸心９１０とを結ぶ基準線９３０において軸心９１０の側を上側とし、これと反対側を下側としたとき、突条部５０は、下向きの方向成分を有する法線９２０を含む。
【００３５】
対向面５２が、上述する下向きの方向成分を有する法線９２０を有することによっても、対向面５２と、傘布１１８および傘骨１２４と、の接触圧力を大きくすることができる。そのためかかる構成を有する傘束ね具１００は、上述する「水滴しごき効果」を良好に発揮する。
【００３６】
突条部５０との当接による傘布１１８の傷みを回避または低減するとともに、高い「水滴掻き取り効果」を発揮させるという観点からは、図１（ｂ）に示すとおり、突条部５０を、リング本体３０の軸心９１０（図２（ａ）参照）に略平行に延在させることが好ましい。
【００３７】
一方、リング本体３０の内部における傘１１０の回転をスムーズにするという観点からは、図１（ｃ）に示すとおり、突条部５０を、第一開口１０から第二開口２０に向かって、第一開口１０の上面視上、右回転方向に前進する方向に傾斜させてもよい。
【００３８】
たとえば、図１（ｃ）に示すとおり、突条部５０は、リング本体３０の軸心方向を基準として、第一開口１０側の端部と、第二開口２０側の端部と、の位置のずれが、突条部５０の幅寸法１９２未満の範囲となるよう傾斜していてもよい。突条部５０の右回転方向への傾斜を上述の範囲にすることにより、傘１１０のスムーズな回転とともに充分な「水滴掻き取り効果」を発揮させることができる。
第一開口１０側の端部と、第二開口２０側の端部と、の位置のずれ量は、たとえば図１（ｃ）に示すとおり、第一開口１０側の端部の定点Ｃと、これに対応する第二開口２０側の端部の定点Ｄと、の周方向における位置のずれ量を確認することにより明らかである。
【００３９】
突条部５０の数は特に限定されないが、たとえば、傘１１０の傘骨１２４が８本、またはその前後である場合に、突条部５０の数は、９本以上１５本以下であることが好ましい。本実施形態では突条部５０は傘骨１２４の数より多く、たとえば１２本である。本実施形態における突条部５０は、リング本体３０の周方向に離散して設けられている。より具体的には、傘束ね具１００は複数の突条部５０がリング本体３０の周方向に略等間隔で分散配置されている。
ただし、上述は本発明を限定するものではない。本発明において傘束ね具１００における突条部５０の数は８本以下であってもよい。あるいは傘１００の傘骨１２４の数以下であってもよい。本実施形態の図示省略する変形例としては、たとえば、１本または複数の突条部５０がリング本体３０の周方向において一部領域に偏在して設けられていてもよい。使用者は、リング本体３０に挿入した傘１１０を、リング本体３０に対し相対的に周方向に回しつつ、突条部５０が偏在する領域に意識的に傘１１０を当接させることによって、傘布１１８に付着した水を突条部５０によって良好に掻き取ることが可能である。上記変形例のように突条部５０が一部領域に偏在する態様では、リング本体３０を弾性変形可能な樹脂材料で構成してもよい。使用者は、リング本体３０の外周を把持して径方向に弾性変形させることによって、一部領域に偏在する突条部５０に傘１１０を容易に当接させることができる。
【００４０】
次に縁部７０について説明する。
本実施形態にかかる傘束ね具１００は、第二開口２０側の端部領域に、リング本体３０の軸心９１０側に突出するとともに周方向に亘る縁部７０を有している。本実施形態における縁部７０の内径７２（図１（ｂ）、図２（ａ））は、第一開口１０の開口径１１よりも小さく構成されている。縁部７０は、内周面４０よりもリング本体３０の軸心９１０側に突出している。本実施形態では、図２（ａ）に示すとおり、縁部７０の周縁７１よりも突条部５０の頂点５１がリング本体３０の軸心９１０側に位置している。
本実施形態における縁部７０は、突条部５０の第二開口２０側の終端部と第二開口２０との間に設けられている。
【００４１】
縁部７０を備える傘束ね具１００は、第二開口２０寄りに設けられた縁部７０の内径７２が、第一開口１０側の開口径より小さい。即ち、傘１１０の送出側よりも挿入側の内径が大きい。そのため、傘束ね具１００は、リング本体３０に対し傘１１０が挿入され易く、かつ、傘布１１８同士が緊密に重ねられた状態で送出されるとともに、その状態が維持され得る。
【００４２】
縁部７０の内径の寸法は、特に限定されず、対象となる傘１１０の外径等を勘案して適宜決定することができる。たとえば、具体的には、止帯１１４を有する一般的な傘を傘束ね具１００で束ねることが予定される場合には、周方向に巻き回して傘１１０を束ねた状態の止帯１１４の内径よりも、縁部７０の内径を小さくするとよい。これによって、傘束ね具１００を用いずに止帯１１４で束ねた傘１１０の外径よりも、傘束ね具１００を用いて束ねた傘１１０の外径を小さくすることができ以下の効果が発生する。即ち、かかる構成の傘束ね具１００の使用によれば、従来よりも傘布１１８同士を緊密に重ねあわせた状態で束ねることができる。そのため、傘布１１８間に付着したままの水滴は、束ねられた傘布１１８間に封じ込められて外側に漏れ出難い。また束ねられた傘の外径が小さくなることにより、隣り合う傘布１１８の重なり合う面積が増大するため、束ねた状態の傘１１０における傘布１１８の露出する面積が低減する。したがって濡れた傘布１１８が人や物に接触する面積が低減される。さらに、傘１１０の外見をコンパクトにすることができ、束ねた状態の美観を向上させることができる。
【００４３】
本実施形態における傘束ね具１００は、図２（ａ）に示すとおり、リング本体３０の内周面４０が、突条部５０が設けられることによって凹凸形状をなしている。ここで凹凸形状の凹部の頂点を含む仮想円の直径６６は、縁部７０の内径７２よりも大きい。
尚、本実施形態における上記仮想円は、内周面４０に沿っているため図２（ａ）において仮想円の図示を省略している。
【００４４】
かかる構成によれば、リング本体３０の中間部では、傘布１１８と突条部５０とが良好に接触するよう傘１１０を径方向の外向きに僅かに緩みをもたせることができる。加えて、縁部７０を傘１１０が通過することによって、径方向の内向きに傘布１１８および傘骨１２４を集約することができる。これによって、傘束ね具１００は、当該中間部を通過する際に、傘布１１８が中棒１２２を軸として一方方向に巻き束ねられるとともに表面に付着した水滴を掻き取られ、次いで縁部７０を通過することで、外径が縮小化された状態で束ねられる。
【００４５】
ところで、傘束ね具１００は、傘１１０を束ねるために使用されているときは、傘１１０の外周に嵌合し、傘１１０に付帯した状態が維持される。一方、未使用時（通常は、傘１１０を開いて使用しているときなど）は、いずれかに保管しておく必要がある。そこで、傘束ね具１００の紛失を防止するために、傘束ね具１００は、以下の態様をさらに有することが好ましい。
【００４６】
即ち、本実施形態にかかる傘束ね具１００は、図１（ａ）に示すとおり、リング本体３０の外周面４２に、外周面４２より突出する鉤部８０が設けられている。
これに対し、傘の任意の部分（例えば柄１２０）に図５（ａ）から図５（ｃ）に示すとおり、鉤部８０を引っ掛けるための引掛け部材（固定バンド８２）を設けておく。傘束ね具１００の未使用時には、当該部材引掛け部材（固定バンド８２）に鉤部８０をひっかけて保管しておくとよい。引掛け部材としては、例えば柄１２０に巻き付けた固定バンド８２などを挙げることができるが、これに限定されない。
【００４７】
このように傘１１０の任意の箇所に保管された傘束ね具１００は、外部から視認され易い。雨の日は、視界が不良となるため、リング本体３０の外周面に、蛍光テープ、蛍光塗料、夜光テープ、または夜光塗料などを付与しておくと、雨の日の安全性向上を図ることができる。ただしこれは、リング本体３０の外周のデザイン性を限定するものではなく、蛍光または夜光とは関連しない着色やデザインをリング本体３０の外周に施してもよい。
【００４８】
また傘束ね具１００の紛失防止の観点からは、図１（ａ）に示すとおり、リング本体３０の外周面４２と内周面４０とを貫通するストラップ挿入用孔９０が設けられてもよい。
ストラップ挿入用孔９０にストラップ９２を通し、任意の箇所に不使用時の傘束ね具を吊り下げるができる。
【００４９】
＜第二実施形態＞
次に、本発明の第二実施形態である傘束ね具２００について、図４を用いて説明する。図４（ａ）は、第二実施形態にかかる傘束ね具２００の縦断面図であり、図４（ｂ）は、図４（ａ）のIV-IV断面図であり、図４（ｃ）は、丸く囲んだ図４（ｂ）の一部を示す部分拡大図である。
【００５０】
図４（ａ）に示すとおり、第二実施形態にかかる傘束ね具２００は、リング本体３０の内周面４０に、第一開口１０と第二開口２０との間の少なくとも一部を延在する溝条部６０が設けられている。傘束ね具１００における突条部５０に替えて溝条部６０を備えること以外は、傘束ね具１００と同様に構成されている。そのため傘束ね具２００に関し、傘束ね具１００と同様の構成については、適宜説明を省略する。
【００５１】
溝条部６０は、内周面４０に対し凹状であって第一開口１０と第二開口２０との間の少なくとも一部に形成された筋状部である。傘布１１８が溝条部６０の対向面５２に当接することによって、突条部５０の対向面５２に当接した場合と同様の作用効果が発揮されるため、傘束ね具２００においても、傘束ね具１００と同様に、「傘束ね効果」および「水滴掻き取り効果」が発揮される。
【００５２】
本実施形態にかかる傘束ね具２００は、溝条部６０が、第一開口１０の上面視上、右回転方向（図４（ｃ）における矢印方向）に対向する対向面５２と、右回転方向に指向する非対向面５４と、を有している。内周面４０に対する対向面５２の角度５６が、内周面４０に対する非対向面５４の角度５８よりも小さい。
尚、ここでいう角度５６は、内周面４０と対向面５２とがなす角度であって、リング本体３０の内部側の角度を意味し、角度５８は、内周面４０と非対向面５４とがなす角度であって、リング本体３０の内部側の角度を意味する。
【００５３】
本実施形態にかかる傘束ね具２００においても、このように角度５６を角度５８よりも急峻とすることで、傘束ね具１００は、第一実施形態にかかる傘束ね具１００と同様に、「傘束ね効果」および「水滴掻き取り効果」をより良好に発揮するとともに第三の効果である「水滴しごき効果」を顕著に発揮する。
【００５４】
上述する「水滴しごき効果」をより良好に得るという観点から、内周面４０に対する対向面５２の角度５６は、９０度以下とすることが好ましい。図４（ｃ）には、具体的には角度５６が略９０度である例を示した。
【００５５】
上述するとおり本実施形態における溝条部６０は、第一開口１０の上面視上、右回転方向に対向する対向面５２を有している。図示省略するが、本実施形態における溝条部６０は、リング本体３０の横断面にて観察される対向面５２の法線が、リング本体３０の径方向の外向きの方向成分を有する法線を含んでいてもよい。
換言すると、図示省略する本実施形態の変形例として、対向面５２の法線の基端とリング本体３０の軸心９１０とを結ぶ基準線において軸心９１０の側を上側とし、これと反対側を下側としたとき、溝条部６０は、下向きの方向成分を有する法線を含んでいてもよい。
【００５６】
溝条部６０における対向面５２に、下向きの方向成分を含む法線を有する面が含まれることによる効果は、傘束ね具１００において説明する法線９２０の効果と同様であるため、ここでは説明を省略する。
【００５７】
傘束ね具２００は、傘束ね具１００と同様に、縁部７０を有している。縁部７０の詳細は、適宜傘束ね具１００における説明を参照することができるため、ここでは説明を適宜省略する。
【００５８】
図４（ｃ）に示すとおり、本実施形態にかかる傘束ね具２００において、リング本体３０の内周面４０は、溝条部６０が設けられることによって凹凸形状をなしている。かかる凹凸形状の凹部の頂点６２を含む仮想円６４の直径６６が、縁部７０の内径７２よりも大きい。
【００５９】
図４（ａ）に示すとおり、本実施形態における溝条部６０は、リング本体３０の軸心９１０（図４（ｂ）参照）に略平行に延在している。かかる溝条部６０によれば、溝条部６０が、第一開口１０の上面視上、第一開口１０から第二開口２０に向かって右回転方向に対し後退する方向に傾斜する場合に比べて、溝条部６０との当接による傘布１１８の傷みを回避または低減することができる。
【００６０】
図示省略する本実施形態の変形例として、溝条部６０は、第一開口１０の上面視上、第一開口１０から第二開口２０に向かって、右回転方向に前進する方向に傾斜していてもよい。これによりリング本体３０の内部における傘１１０の回転をスムーズにすることができる。
【００６１】
上記傾斜の角度は特に限定されないが、たとえば、溝条部６０は、リング本体３０の軸心方向を基準として、第一開口１０側の端部と、第二開口２０側の端部と、の位置のずれが、溝条部６０の幅寸法未満の範囲で傾斜していることが好ましい。溝条部６０の右回転方向への傾斜を上述の範囲にすることにより、傘１１０のスムーズな回転とともに充分な「水滴掻き取り効果」を発揮させることができる。
【００６２】
＜第三実施形態＞
次に本発明の傘ユニットに関し、第三実施態様である傘ユニット３００を例に図５（ａ）から図５（ｃ）を用いて説明する。
【００６３】
傘ユニット３００は、第一実施形態として説明した傘束ね具１００と、傘束ね具１００により束ねられる傘１１０と、を備える。
傘ユニット３００は、傘１１０を束ねることができる範囲で、適宜、傘束ね具１００に替えて本発明の他の態様の傘束ね具に替えることができる。傘ユニット３００は、傘束ね具１００と傘１１０とを、少なくとも有する構成物である。
【００６４】
傘ユニット３００における傘束ね具１００は、これと組み合わされる傘１１０の構造やデザインを考慮して最適な設計することができるため、使用者により良好な使用感を提供することができる。
たとえば、傘ユニット３００において、傘布１１８を束ねる手段が予め傘束ね具１００であることが決定されている場合には、図５（ｃ）に示す傘１１１のように、止帯１１４を省略してもよい。止帯１１４が省略された傘１１１に対し、傘束ね具１００を傘布１１８の端部付近まで移動させることができる。
【００６５】
本実施形態における傘ユニット３００における傘束ね具１００のリング本体３０に設けられる突条部５０の数は、傘１１０の傘骨１２４の本数を超えて傘骨１２４の本数の２倍未満である。
たとえば、傘１１０の傘骨１２４は、８本、またはその前後とすることができる。これに対して、傘束ね具１００における突条部５０の数は、９本以上１５本以下であることが好ましい。傘束ね具１００は、具体的には突条部５０が１２本の例を図示している。
【００６６】
傘骨１２４の本数に対し突条部５０の数を多くすることにより、リング本体３０の内部において周方向に回転する傘１１０の傘布１１８と、対向面５２との接触を確実にすることができる。
また、傘骨１２４の本数の２倍未満の突条部５０を設けることにより、内周面４０の内周方向に適度の幅寸法の突条部５０を形成することができる。
【００６７】
同様の趣旨から、傘束ね具１００に替えて傘束ね具２００を用いる場合には、傘束ね具２００における溝条部６０の数は、傘１１０の傘骨１２４の本数を超えて傘骨１２４の本数の２倍未満とするとよい。
【００６８】
傘ユニット３００において、リング本体３０の内径は特に限定されないが、傘束ね具１００により束ねられる傘１１０の寸法との関係を勘案して決定してもよい。たとえばサイズｘｃｍの傘１１０に対し、リング本体３０の内径をｙｃｍは、下記式（１）により得られたｚの±０．５ｃｍの範囲（即ち、ｚ−０．５≦ｙ≦ｚ＋０．５）において決定することができる。
（数１）  ｚ＝（１／２０）ｘ＋１  （１）
具体的にはたとえば、４０ｃｍのサイズの傘１１０に対しては、リング本体３０の内径ｙは、２．５ｃｍ以上３．５ｃｍ以下の範囲、より好ましくは２．５ｃｍを超えて３．５ｃｍ未満の範囲から決定することができる。即ち上記内径ｙは、（ｚ−０．５）ｃｍ以上（ｚ＋０．５）ｃｍ以下、好ましくは、（ｚ−０．５）ｃｍを超えて（ｚ＋０．５）ｃｍ未満である。尚、傘１１０のサイズとは、傘１１０の親骨（傘骨１２４）の長さを意味する。以上のように傘１１０のサイズｘに対しリング本体３０の内径ｙが好ましい範囲から選択された寸法である場合には、突条部５０は、内周面４０に対する対向面５２の角度が、内周面４０に対する非対向面５４の角度よりも急峻でなくても充分に本発明の所期の目的を達成可能である。
【００６９】
＜第四実施形態＞
次に、本発明の第四実施形態である傘束ね具４００について、図６を用いて説明する。図６（ａ）は、第四実施形態にかかる傘束ね具４００の縦断面図であり、図６（ｂ）は、図６（ａ）のVI-VI横断面図である。
【００７０】
本実施形態にかかる傘束ね具４００は、第二開口２０側の端部領域に、リング本体３０の軸心９１０（図６（ｂ））側に突出するとともに周方向に亘る縁部７０を有している。本実施形態における縁部７０の内径７２（図６（ｂ））は、第一開口１０の開口径１１よりも小さく構成されている。縁部７０は、内周面４０よりもリング本体３０の軸心側に突出している。本実施形態では、図６（ｂ）に示すとおり、縁部７０の周縁７１と突条部５０の頂点５１とがリング本体３０の軸心９１０に対し略等しい距離に位置している。
図６（ａ）に示すとおり、本実施形態における突条部５０の第二開口２０側の端部は、縁部７０まで延在し、縁部７０と連結している。換言すると、縁部７０は、複数の突条部５０の第二開口２０側の端部を連係するよう周方向に連続している。
傘束ね具４００は、縁部７０から第一開口１０に向けて、内径が同一または拡張している。そのため、傘束ね具４００は、雄型と雌型とからなる一対の射出成形用型枠を用い、一材一体成形することが容易であり、製造上の有利性を備える。
【００７１】
図示する傘束ね具４００は、開口端部１４の外側面および内側面のいずれもが、開口方向に向かって拡径しており、リング本体３０の内側の水がリング本体３０を把持する使用者の手を濡らし難い構造となっている。縁部７０と開口端部１４の位置側面との間には開口方向に向かって段差が設けられている。上記段差として、図６（ａ）では、一例としてリング本体３０の内径が不連続に変化してなる段差を図示しているが、当該段差はリング本体３０の内径が連続的に変化することによってなる段差であってもよい。
【００７２】
図示省略するが、傘束ね具４００の変形例として、開口端部１４の内側面を開口方向に傾斜させず、突条部５０および縁部７０と同高さで開口端部１４の内側面を延在させてもよい。即ち、変形例では、図６（ｂ）に示す内径７２と、開口端部１４の内側面における直径を略同等とさせてもよい。かかる場合には、縁部７０と開口端部１４の内側面との間には、段差を有しない。上記変形例では、樹脂材料を用いる射出成形により、開口端部１４から開口端部１２に向かって内部構造を規定する型枠を引抜くことが容易である。したがって上記変形例は、一体成形することができ、製造上の有利性を有する。
【００７３】
以上に本発明の実施形態およびその使用例について説明した。本発明は上述の説明に限定されるものではなく、本発明の目的が達成される限りにおける種々の変形、改良等の態様を含む。また本発明の使用方法も、適宜、変更することができる。また各実施例において説明した構成は適宜他の実施態様に適用させることができる。
【産業上の利用可能性】
【００７４】
本発明の傘束ね具は、傘に対し着脱操作が簡易であるため、子供から高齢者まで容易に使用することができる。本発明の傘束ね具は、市販の傘に広く対応することが可能であるため、家庭において既に保有する傘のサイズを選ばずに使用することができる。本発明の傘束ね具の内径を、子供用傘に適応するサイズ、および大人用傘に適応するサイズ等の異なるサイズで設計仕分けてもよい。
上述するとおり、本発明の傘束ね具は、突条部または溝条部の存在により、傘布に付着した水滴の多くを除去することが可能であり、本発明の傘束ね具により束ねられた傘は、周囲の人や物に接触して、これらを濡らすという問題が顕著に改善されている。そのため、たとえば、電車または自動車などの交通手段に乗車する前、または店舗に入店する前等に、濡れた傘を本発明の傘束ね具により束ねることによって、濡れた傘に人や物が接触する不快感を周囲の人に与える虞を顕著に低減する。
上記傘束ね具の産業上の利用性は、本発明の傘ユニットにおいても同様に発揮される。加えて本発明の傘ユニットは、予め傘と、これに適した傘束ね具との組み合わせから構成することができる。そのため、さらに良好な使用性を発揮させることが可能であるとともに、デザイン性を挙げることもできる。
【００７５】
上記実施形態は、以下の技術思想を包含するものである。
（１）両端にそれぞれ第一開口と第二開口とを有する円筒形状のリング本体を有し、前記第一開口に傘を石突側から挿入させ前記傘の柄の方向に前記リング本体を前記傘に対し相対的に移動させることによって前記傘の傘布を束ねることが可能な傘束ね具であって、
前記リング本体の内周面に、前記第一開口と前記第二開口との間の少なくとも一部を延在する突条部または溝条部が設けられていることを特徴とする傘束ね具。
（２）前記突条部または前記溝条部は、前記第一開口の上面視上、右回転方向に対向する対向面と、前記右回転方向に指向する非対向面と、を有し、
前記内周面に対する前記対向面の角度が、前記内周面に対する前記非対向面の角度よりも小さい上記（１）に記載の傘束ね具。
（３）前記内周面に対する前記対向面の角度が９０度以下である上記（２）に記載の傘束ね具。
（４）前記突条部または前記溝条部は、前記第一開口の上面視上、右回転方向に対向する対向面を有し、
前記リング本体の横断面にて観察される前記対向面は、前記リング本体の径方向の外向きの方向成分を有する法線を含む上記（１）から（３）のいずれか一項に記載の傘束ね具。
（５）前記第一開口側の開口端部の内径が、開口方向の外側に向けて拡径している上記（１）から（４）のいずれか一項に記載の傘束ね具。
（６）前記第二開口側の端部領域に、前記リング本体の軸心側に突出するとともに周方向に亘る縁部を有し、
前記縁部の内径が、前記第一開口の開口径よりも小さい上記（１）から（５）のいずれか一項に記載の傘束ね具。
（７）前記リング本体の前記内周面は、前記突条部または前記溝条部が設けられることによって凹凸形状をなしており、
前記凹凸形状の凹部の頂点を含む仮想円の直径が、前記縁部の内径よりも大きい上記（６）に記載の傘束ね具。
（８）前記第二開口側の開口端部の内径が、開口方向の外側に向けて拡径している上記（１）から（７）のいずれか一項に記載の傘束ね具。
（９）前記第一開口側および前記第二開口側の開口端部の外径が、開口方向の外側に向けて拡径している上記（１）から（８）のいずれか一項に記載の傘束ね具。
（１０）前記リング本体の軸心方向の寸法が、前記第一開口の開口径以上である上記（１）から（９）のいずれか一項に記載の傘束ね具。
（１１）前記リング本体の外周面に、前記外周面より突出する鉤部を有する上記（１）から（１０）のいずれか一項に記載の傘束ね具。
（１２）前記リング本体の外周面と内周面とを貫通するストラップ挿通用孔が設けられている上記（１）から（１１）のいずれか一項に記載の傘束ね具。
（１３）前記突条部または前記溝条部は、前記リング本体の軸心に略平行に延在している上記（１）から（１２）のいずれか一項に記載の傘束ね具。
（１４）前記突条部または前記溝条部は、前記第一開口から前記第二開口に向かって、前記第一開口の上面視上、右回転方向に前進する方向に傾斜している上記（１）から（１２）のいずれか一項に記載の傘束ね具。
（１５）前記突条部または前記溝条部は、前記リング本体の軸心方向を基準として、前記第一開口側の端部と、前記第二開口側の端部と、の位置のずれが、前記突条部または前記溝条部の幅寸法未満の範囲で傾斜している上記（１４）に記載の傘束ね具。
（１６）上記（１）から（１５）のいずれか一項に記載の傘束ね具と、
前記傘束ね具により束ねられる傘と、を備えることを特徴とする傘ユニット。
（１７）前記傘束ね具の前記リング本体に設けられる前記突条部または前記溝条部の数は、前記傘の傘骨の本数を超えて前記傘骨の本数の２倍未満である上記（１６）に記載の傘ユニット。
【符号の説明】
【００７６】
１０・・・第一開口
１１・・・開口径
１２、１４・・・開口端部
２０・・・第二開口
３０・・・リング本体
４０・・・内周面
４２・・・外周面
５０・・・突条部
５１・・・頂点
５２・・・対向面
５４・・・非対向面
５６、５８・・・角度
６０・・・溝条部
６２・・・頂点
６４・・・仮想円
６６・・・直径
７０・・・縁部
７１・・・周縁
７２・・・内径
８０・・・鉤部
８２・・・固定バンド
９０・・・ストラップ挿入用孔
９２・・・ストラップ
１００、２００、４００・・・傘束ね具
１１０、１１１・・・傘
１１４・・・止帯
１１６・・・石突
１１８・・・傘布
１１８ａ・・・エッジ
１１８ｂ・・・根元
１２０・・・柄
１２２・・・中棒
１２４・・・傘骨
１９２・・・幅寸法
３００・・・傘ユニット
９１０・・・軸心
９２０・・・法線
９３０・・・基準線
Ａ・・・寸法
Ｂ・・・基端
Ｃ、Ｄ・・・定点
【図１】
0006460314.tif 000002
【図２】
0006460314.tif 000003
【図３】
0006460314.tif 000004
【図４】
0006460314.tif 000005
【図５】
0006460314.tif 000006
【図６】
0006460314.tif 000007